(57)【要約】      （修正有）【課題】遮光シートが被検体載置部へ接触することを防ぎつつ、遮光シートにより被検体載置部を覆うことを可能にする、簡易な遮光構造を提供する。【解決手段】被検体を載置するための被検体載置部１０４と、被検体載置部に載置された被検体１０６に光を照射する光照射部１０８と、を有する装置において、遮光シートによって被検体載置部および光照射部を覆ったときに遮光シートが被検体載置部から離間した状態となるように、被検体載置部と遮光シートの間に配置される部材であって、管状の側壁部１０１を有しており、側壁部の軸方向の一方の端部が、装置に設けられた嵌め込み部に対し嵌め込まれることにより、側壁部が被検体載置部の周囲を囲むように装置に取り付けられる。【選択図】図２
2019025216.tif 000002
【特許請求の範囲】
【請求項１】
被検体を載置するための被検体載置部と、前記被検体載置部に載置された前記被検体に光を照射する光照射部と、を有する装置において、遮光シートによって前記被検体載置部および前記光照射部を覆ったときに前記遮光シートが前記被検体載置部から離間した状態となるように、前記被検体載置部と前記遮光シートの間に配置される部材であって、
管状の側壁部を有しており、
前記側壁部の軸方向の一方の端部が、前記装置に設けられた嵌め込み部に対し嵌め込まれることにより、前記側壁部が前記被検体載置部の周囲を囲むように前記装置に取り付けられる
ことを特徴とする部材。
【請求項２】
前記側壁部に、前記被検体を挿入するための挿入口が設けられている
ことを特徴とする請求項１に記載の部材。
【請求項３】
前記側壁部は、弾性変形した状態で前記嵌め込み部に対し嵌め込まれる
ことを特徴とする請求項２に記載の部材。
【請求項４】
前記弾性変形は、前記側壁部の外周側において引っ張り応力が生じるか、または、前記側壁部の内周側に圧縮応力が生じるような、曲げ変形である
ことを特徴とする請求項３に記載の部材。
【請求項５】
前記側壁部は、弾性を有する材料から形成されている
ことを特徴とする請求項２乃至４のいずれか１項に記載の部材。
【請求項６】
前記側壁部は、剛性を有する複数の剛性部材を、前記剛性部材よりも弾性係数が低い連結部材で周方向に連結した構造を有する
ことを特徴とする請求項２乃至４のいずれか１項に記載の部材。
【請求項７】
前記挿入口は、前記一方の端部に設けられた開口または切欠きである
ことを特徴とする請求項２乃至６のいずれか１項に記載の部材。
【請求項８】
前記被検体は、被検者の身体の一部であり、
前記挿入口は、前記遮光シートの外側にいる前記被検者が身体の一部のみを前記被検体載置部へ挿入するためのものである
ことを特徴とする請求項２乃至７のいずれか１項に記載の部材。
【請求項９】
前記部材は、前記嵌め込み部に対し前記側壁部を嵌め込むときに前記挿入口の周方向の位置を任意に設定可能である
ことを特徴とする請求項２乃至８のいずれか１項に記載の部材。
【請求項１０】
請求項１乃至９のいずれか１項に記載の部材と、前記被検体に照射される光が外部に漏れることを抑制するために前記部材の上から被せられる遮光シートと、を有する遮光構造。
【請求項１１】
前記遮光シートは、前記部材の上から被せた状態の前記遮光シートを前記装置に対して固定するための複数の固定部を有する
ことを特徴とする請求項１０に記載の遮光構造。
【請求項１２】
前記固定部は、磁気力、係合、または嵌合により、前記遮光シートを前記装置に対して
着脱可能に固定する
ことを特徴とする請求項１１に記載の遮光構造。
【請求項１３】
被検体を載置するための被検体載置部と、
前記被検体載置部に載置された前記被検体に光を照射する光照射部と、
請求項１１または１２に記載の遮光構造と、
を有することを特徴とする装置。
【請求項１４】
前記遮光構造の前記遮光シートが有する前記複数の固定部のそれぞれが固定される、複数の被固定部を有する
ことを特徴とする請求項１３に記載の装置。
【請求項１５】
前記複数の被固定部は、前記被検体載置部の周囲を囲むように配置されている
ことを特徴とする請求項１４に記載の装置。
【請求項１６】
前記複数の被固定部と前記被検体載置部の間に、前記部材の前記側壁部を嵌め込むための前記嵌め込み部が設けられている
ことを特徴とする請求項１４または１５に記載の装置。
【請求項１７】
前記嵌め込み部は、段差である
ことを特徴とする請求項１６に記載の装置。
【請求項１８】
前記複数の固定部の前記複数の被固定部への固定が適正か否かを判定し、固定が適正でないと判定した場合に前記光照射部からの照射を停止または減光する制御部を有する
ことを特徴とする請求項１４乃至１７のいずれか１項に記載の装置。
【請求項１９】
前記被検体から伝搬する音響波を受信する受信部を有する
ことを特徴とする請求項１３乃至１８のいずれか１項に記載の装置。
【請求項２０】
前記受信部と前記被検体とを音響的に結合する音響整合材が前記被検体載置部に収容される
ことを特徴とする請求項１９に記載の装置。
【発明の詳細な説明】
【技術分野】
【０００１】
本発明は、被検体に光を照射する装置における遮光構造に関する。
【背景技術】
【０００２】
被検体から伝播する音響波を検出して被検体の形態情報や機能情報を可視化する技術が知られている。その１つとして、光と超音波を使用して被検体の機能情報を可視化する技術（Ｐｈｏｔｏａｃｏｕｓｔｉｃ  Ｔｏｍｏｇｒａｐｈｙ、以下ＰＡＴと表記する）がある。
【０００３】
可視光や近赤外光などのパルス光を生体組織に照射すると、生体内部の光吸収物質、特に血液中のヘモグロビンなどの物質が、パルス光のエネルギーを吸収して瞬間的に膨張した結果、音響波を発生させる。この現象を光音響効果と呼び、ＰＡＴは、その音響波を測定することで生体組織の情報を可視化するものである。例えば生体組織の情報として光エネルギー吸収密度分布（音響波の発生源となった生体内の光吸収物質の密度分布）を可視化することで、血管を画像化できる。また、生じる音響波の光波長依存性を利用して血液の酸素飽和度などの機能情報を得ることができる。
【０００４】
特許文献１には、被検体として乳房組織を可視化する装置が開示されている。音響波を検出する音響検出素子と被検体との間には音響整合材が配置されている。音響整合材には、音響検出素子と被検体の音響インピーダンスを整合させる役割がある。
【０００５】
生体組織への照射が許される光の強度は、最大許容露光量（ＭＰＥ：ｍａｘｉｍｕｍ  ｐｅｒｍｉｓｓｉｂｌｅ  ｅｘｐｏｓｕｒｅ、以下ＭＰＥと表記する）として各種の安全規格により定められている。特許文献１には、被検体を挿入する開口部から装置外部に漏れる測定用の光をＭＰＥ以下の値にするための遮光部材が示されている。
【先行技術文献】
【特許文献】
【０００６】
【特許文献１】特開２０１６−１４０５５５号公報
【非特許文献】
【０００７】
【非特許文献１】”Ｐｈｏｔｏａｃｏｕｓｔｉｃ  ａｎｇｉｏｇｒａｐｈｙ  ｏｆ  ｔｈｅ  ｂｒｅａｓｔ”，  Ｍｅｄｉｃａｌ  Ｐｈｙｓｉｃｓ，  Ｖｏｌ．  ３７，  Ｎｏ．１１，  Ｎｏｖｅｍｂｅｒ  ２０１０
【発明の概要】
【発明が解決しようとする課題】
【０００８】
撮影中に被験者および撮影技師への不要な照射をさけるために、被検体載置部に載置した被検体を遮光部材で覆う検査姿勢をとる。ここで被検体は、被験者のうちの撮影対象部位に該当する。遮光部材として、可橈性を有するシート状の遮光部材（以下、遮光シートと表記する）が用いられることがある。遮光シートは、その可橈性から、被検体載置部に載置した被検体を覆う様に設置することで、被験者の体格や撮影姿勢に対応して遮光することができる。さらに、遮光シートは、その可橈性から、被検体載置部の周辺と接する周辺領域を確保することで、被験者を必要以上に拘束することなく遮光することができる。
一方、被検体載置部に付与した音響整合材を介して音響波を受信する音響波受信装置に、遮光シートを適用する場合、遮光シートが被検体載置部にずれ落ち音響整合材と接触する可能性がある。
このような状態の遮光シートに測定光が照射された場合、遮光シートで発生した光音響波が、接触された音響整合材を介して受信部まで伝搬し、被検体からの光音響波に対するノイズ成分となることが考えられる。この結果、被検体情報の測定精度を低下させる可能性がある。
また、音響整合材は、生体と音響インピーダンスが近い水を主成分とする液体、ジェル等を含む水系の整合材が適用される場合があるが、水系の整合材が接触した遮光シートを繰り返し使用することは、遮光シートの衛生性を担保する上で好ましくないという問題があった。
【０００９】
本発明は、上記実情に鑑みなされたものであって、遮光シートが被検体載置部へ接触することを防ぎつつ、遮光シートにより被検体載置部を覆うことを可能にする、簡易な遮光構造を提供することを目的とする。
【課題を解決するための手段】
【００１０】
本発明の第一態様は、
被検体を載置するための被検体載置部と、前記被検体載置部に載置された前記被検体に光を照射する光照射部と、を有する装置において、遮光シートによって前記被検体載置部および前記光照射部を覆ったときに前記遮光シートが前記被検体載置部から離間した状態となるように、前記被検体載置部と前記遮光シートの間に配置される部材であって、
管状の側壁部を有しており、
前記側壁部の軸方向の一方の端部が、前記装置に設けられた嵌め込み部に対し嵌め込まれることにより、前記側壁部が前記被検体載置部の周囲を囲むように前記装置に取り付けられる
ことを特徴とする部材を提供する。
【００１１】
本発明の第二態様は、
本発明の第一態様に係る部材と、前記被検体に照射される光が外部に漏れることを抑制するために前記部材の上から被せられる遮光シートと、を有する遮光構造を提供する。
【００１２】
本発明の第三態様は、
被検体を載置するための被検体載置部と、
前記被検体載置部に載置された前記被検体に光を照射する光照射部と、
本発明の第二態様に係る遮光構造と、
を有することを特徴とする装置を提供する。
【発明の効果】
【００１３】
本発明によれば、遮光シートが被検体載置部へ接触することを防ぎつつ、遮光シートにより被検体載置部を覆うことを可能にする、簡易な遮光構造を提供できる。
【図面の簡単な説明】
【００１４】
【図１】被検体情報取得装置の上面図（遮光シート設置前）。
【図２】図１のＡ−Ａ断面図および制御に関わる構成のブロック図。
【図３】被検体情報取得装置の上面図とＢ−Ｂ断面図（遮光シート設置後）。
【図４】被検体情報取得装置の上面図（被検者の姿勢が異なる例）。
【図５】ソフトウォールの上面図・側面図・斜視図。
【図６】ソフトウォールの他の構成例。
【発明を実施するための形態】
【００１５】
以下に図面を参照しつつ、本発明の好適な実施の形態について説明する。ただし、以下に記載されている構成部品の寸法、材質、形状およびそれらの相対配置などは、発明が適
用される装置の構成や各種条件により適宜変更されるべきものである。よって、この発明の範囲を以下の記載に限定する趣旨のものではない。
【００１６】
本発明は、被検体を載置するための被検体載置部と、その被検体載置部に載置された被検体に光を照射する光照射部と、を有する装置に関する。特に、本発明は、そのような装置において、被検体載置部から装置の外部へ漏れ出る光を所定の強度（例えばＭＰＥ）以下に低減するための技術に関する。具体的には、本発明は、被検体に光を照射する装置における遮光構造もしくは遮光方法、または、遮光のために当該装置に適用される部材として捉えることができる。あるいは、本発明は、所定の強度を超える漏れ光を防止するための装置の制御方法としても捉えることができる。
【００１７】
本発明の装置は、光を被検体に照射することで被検体に関する情報（被検体情報と呼ぶ）を取得する被検体情報取得装置を含む。被検体情報取得装置には、光音響効果により被検体内で発生する音響波を受信して、被検体の特性情報を取得する装置（光音響装置、光音響イメージング装置などと呼ばれる）を含む。この場合、特性情報とは、受信された光音響波に由来する受信信号を用いて生成される、被検体内の複数位置のそれぞれに対応する特性値の情報である。
【００１８】
光音響測定により取得される特性情報は、光エネルギーの吸収量や吸収率を反映した値である。例えば、単一の波長の光照射によって生じた音響波の発生源、被検体内の初期音圧、あるいは初期音圧から導かれる光エネルギー吸収密度や吸収係数を含む。また、互いに異なる複数の波長により得られる特性情報から、組織を構成する物質の濃度を取得できる。物質濃度として酸素化ヘモグロビン濃度と脱酸素化ヘモグロビン濃度を求めることにより、酸素飽和度分布を算出できる。また、物質濃度としては、グルコース濃度、コラーゲン濃度、メラニン濃度、脂肪や水の体積分率なども求められる。
【００１９】
被検体内の各位置の特性情報に基づいて、二次元または三次元の特性情報分布が得られる。分布データは画像データとして生成され得る。特性情報は、数値データとしてではなく、被検体内の各位置の分布情報として求めてもよい。すなわち、初期音圧分布、エネルギー吸収密度分布、吸収係数分布や酸素飽和度分布などの分布情報である。
【００２０】
本発明でいう音響波とは、典型的には超音波であり、音波、音響波と呼ばれる弾性波を含む。トランスデューサや音響変換素子等により音響波から変換された電気信号を音響信号とも呼ぶ。ただし、本明細書における超音波または音響波という記載は、それらの弾性波の波長を限定する意図ではない。光音響効果により発生した音響波は、光音響波または光超音波と呼ばれる。光音響波に由来する電気信号を光音響信号とも呼ぶ。
【００２１】
以下の実施形態では、被検体にパルス光を照射し、光音響効果により被検体から音響波を受信し解析する事により被検体内の光吸収体の分布を取得する光音響装置を取り上げる。このような光音響装置は、人や動物の血管疾患や悪性腫瘍などの診断や化学治療の経過観察に好適である。被検体の例として、被検者の身体の一部（手、乳房、足など）、マウスなどヒト以外の動物、無生物、ファントムなどを挙げられる。
【００２２】
＜実施形態＞
図１、図２、図３Ａ、図３Ｂ、図４、図５Ａ乃至図５Ｃを参照して、本発明の実施形態における被検体情報取得装置を説明する。図１は遮光シートを設置する前の被検体情報取得装置の上面図であり、図２は図１のＡ−Ａ断面図である。また図２には被検体情報取得装置の制御に関わる構成のブロック図も示している。図３Ａは遮光シートを設置した後の被検体情報取得装置の上面図であり、図３Ｂは図３ＡのＢ−Ｂ断面図である。図４は被検体情報取得装置の上面図であり、図１とは被検者の姿勢が異なる例を示している。図５Ａ
乃至図５Ｃは被検体載置部と遮光シートの間に配置される部材（以下、ソフトウォールと呼ぶ）を示す図である。
【００２３】
（被検体情報取得装置）
図１および図２に示すように、被検体情報取得装置１は、主な構成として、ベッド天板１０３、被検体載置部１０４、光照射部１０８、受信部１０７、光源３００、信号処理部３０１、検知部３０２、制御部３０３を有する。
【００２４】
被検体載置部１０４は、被検体１０６（図１の例では被検者２０１の右手）を載置するための部材である。本実施形態の装置では、一般成人男性の前腕（指先から肘まで）を載置可能なサイズの被検体載置部１０４が、ベッド天板１０３に設置される。被検体載置部１０４は、例えば、矩形の枠体１０４ａにメッシュまたはフィルムシートを接着するなどして被検体１０６を支持する支持面１０４ｂを有する構成になっている。支持面１０４ｂの材質は、測定光と音響波の両方を良好に透過する材料であることが望ましい。被検体載置部１０４には音響整合材１０５が収容されており、光照射部１０８から照射された測定光により被検体１０６で発生した音響波が受信部１０７に良好に伝達される。音響整合材１０５は受信部１０７と被検体１０６とを音響的に結合するためのものであり、例えば、水・油のような液体や、水系のジェルを含む流体が使用される。
【００２５】
衛生面を考慮するならば、被検体載置部１０４の上に交換可能なシート状の部材を設置し、被検者ごとに被検体載置部１０４に収容された音響整合材１０５とともに交換できるようにすることもできる。この場合、受信部１０７と被検体支持面１０４ｂの間に配置された音響整合材１０５は、被検体１０６とは隔離されるので衛生面の管理を簡易にすることができる。交換可能なシート状部材は、被検体支持面１０４ｂと同じく、測定光と音響波の両方を透過する材料であることが望ましい。
【００２６】
天板１０３の上にはほぼ全面にマット１０２が敷かれ、被検者２０１が天板１０３の上で安楽に検査姿勢をとることができる。マット１０２の一部に矩形の開口部１０２ａが設けられている。この開口部１０２ａは、被検体載置部１０４の支持面１０４ｂを露出させるためのものであるが、本実施形態では、後述するソフトウォール１０１を嵌め込むための段差（嵌め込み部）を形成する役割を兼ねている。マット１０２は必ずしも一体物である必要はなく、複数枚で構成してもよい。図１では被検者２０１はマット１０２の上に伏臥位になり、右手掌を下向きにして肘から指先までを被検体載置部１０４に載せている。図４に、別の検査姿勢として、側臥位で右手背を下向きに肘から指先までを被検体載置部１０４に載せる場合を示す。
【００２７】
光照射部１０８は、光源３００から発せられた測定光を被検体載置部１０４に載置された被検体１０６に照射する部材である。光源３００としては固体レーザー、ガスレーザー、色素レーザー、半導体レーザーなどのレーザー装置が好適である。また、フラッシュランプやＬＥＤ等も利用できる。測定光としては、例えば、１０ナノ秒〜５０ナノ秒程度のパルス幅のパルス光が好適である。また、パルス光の波長は、被検体１０６の内部まで光が到達する波長（例えば、６００ｎｍ以上１１００ｎｍ以下）が望ましい。光源３００からの光は光伝送路を介して光照射部１０８に導かれる。
【００２８】
受信部１０７は、被検体１０６から伝搬する音響波を受信する部材である。受信部１０７は、複数の音響検出素子（不図示）を有している。音響検出素子は、音響波をアナログ電気信号に変換する素子であり、例えばＰＺＴ、ｃＭＵＴなどを使用できる。受信部１０７の形状としては、半球状、球冠状、楕円体の一部、皿状、ボウル状、複数の曲面または平面を組み合わせた形状などを使用できる。なお、図示しないが、受信部１０７を被検体１０６に対し走査するための移動機構を設けてもよい。
【００２９】
信号処理部３０１は、受信部１０７の音響検出素子から出力されたアナログ電気信号を取得し、必要に応じて増幅、デジタル変換、補正、記憶装置への格納などの処理を行う装置である。
【００３０】
検知部３０２は、遮光シート１１１が適正に被検体情報取得装置１に固定されているか（すなわち、被検体載置部１０４から装置外部へ光が漏れないように、遮光シート１１１で被検体載置部１０４の全体が覆われているか）を検知するための回路である。具体的な検知方法については後述する。
【００３１】
制御部３０３は、被検体情報取得装置１の全体の制御を行う装置である。制御部３０３は、例えば、受信部１０７の走査、光照射、音響波受信などのタイミングを同期させながら、被検体１０６の測定を行う。制御部３０３はまた、信号処理部３０１から得られたデジタル信号に基づいて被検体内部の特性情報を生成するための演算処理を行う。さらに制御部３０３は、検知３０２の検知結果に応じて光照射部１０８からの照射を停止または減光する制御を行う。信号処理部３０１や制御部３０３は、ＣＰＵ（プロセッサ）とメモリを備えプログラムに従って動作する情報処理装置、または、各処理を実施する回路、または、情報処理装置と回路の組み合わせによって構成される。
【００３２】
（遮光構造）
図３Ａおよび図３Ｂに示すように、本実施形態の被検体情報取得装置１は、ソフトウォール１０１と遮光シート１１１からなる遮光構造を有する。ソフトウォール１０１は、遮光シート１１１によって被検体載置部１０４および光照射部１０７を覆ったときに、遮光シート１１１が被検体載置部１０４から離間した状態となるように、被検体載置部１０４と遮光シート１１１の間に配置される部材である。
【００３３】
図５Ａ〜図５Ｃは本実施形態のソフトウォール１０１の概略図である。図５Ａは上面図、図５Ｂは側面図、図５Ｃは斜視図である。ソフトウォール１０１は、被検体載置部１０４の周囲を囲むための管状の側壁部４０を有している。側壁部４０の一部には、遮光シート１１１の外側にいる被検者２０１が身体の一部である被検体１０６を被検体載置部１０４へ挿入するための挿入口４１が形成されている。挿入口４１は、例えば、側壁部４０の軸方向の一方の端部（図示の例では下端部）に設けられた開口または切欠きからなる。本実施形態のソフトウォール１０１は弾性を有する材料で構成されることで可橈性を有し、自由状態では略円筒形状となる。このようなシンプルな構造のソフトウォール１０１は、例えば、挿入口４１（開口または切欠き）が形成された矩形のウレタンスポンジフォーム平板を曲げ、管状に平板の一部を結合することで成形できる。
【００３４】
側壁部４０の高さは、遮光シート１１１をソフトウォール１０１の上から被せたときに、遮光シート１１１が落ち込んで音響整合材１０５に届かない程度に高ければよい。側壁部４０の厚みは、ソフトウォール１０１を装置に設置し、かつ遮光シート１１１を被せたときに、ソフトウォール１０１が潰れず自立する程度の強度をもつように設定すればよい。
【００３５】
図２に示すように、ソフトウォール１０１は、被検者２０１の上腕部を跨ぐ位置に挿入部４１を合わせて、マット１０２の開口部１０２ａにより形成された段差に嵌め込まれ、マット上面から一段下がった位置で自立している。前述の通りソフトウォール１０１は可橈性があるので図１のように軸方向（Ｚ方向）から見て長丸形状となるように変形し、マット１０２の開口部１０２ａに適合する。なお、ソフトウォール１０１の自由状態は、装置の溝にはめ込まれていない状態、あるいは、拘束されていない状態、と換言される。
【００３６】
被検者２０１の左手を検査する場合、被検者２０１は図１に示される位置とは被検体載置部１０４を挟んで反対側から被検体１０６（左手）を被検体載置部１０４に載せることになる。左手を検査する場合には、ソフトウォール１０１を周方向に回して挿入口４１の位置を移動させればよい。したがって、左手用と右手用で異なるソフトウォール１０１を準備する必要がない。また、被検者２０１の体格に応じて被検体１０６の被検体載置部１０４への挿入位置は異なるのだが、ソフトウォール１０１を周方向に回し挿入口４１の位置を調整することで、そのような体格の差にも対応することができる。さらに、被検者２０１が図４のような側臥位の姿勢をとり、被検体１０６が被検体載置部１０４の短手辺を横切る位置にある場合でも、ソフトウォール１０１の挿入口４１を適合する位置に合わせて設置することができる。このように、マット１０２の開口部１０２ａに側壁部４０を嵌め込むときに挿入口４１の周方向の位置を任意に設定可能であることは、ソフトウォール１０１の汎用性および利便性を向上できる点で、本実施形態の遮光構造の利点の一つである。
【００３７】
遮光シート１１１は、光照射部１０８から被検体１０６に光を照射したときに、被検体載置部１０４から装置外部に所定の強度（例えばＭＰＥ）を超える光が漏れないように、光を遮蔽または低減するための遮光部材である。遮光シート１１１は、可橈性および遮光性を有する材料から構成される。遮光シート１１１のサイズおよび形状は、遮光シート１１１をソフトウォール１０１の上から被せたときに、少なくともソフトウォール１０１の全体が覆われるように設定される。
【００３８】
図３Ａに示すように、遮光シート１１１の端部の複数個所には、ソフトウォール１０１の上から被せた状態の遮光シート１１１を被検体情報取得装置１に対して固定するための固定部としての吸着板１１０ａ〜１１０ｆが設けられている。一方、被検体載置部１０４の周囲には、吸着板１１０ａ〜１１０ｆのそれぞれが固定される被固定部としてのマグネットキャッチ１０９ａ〜１０９ｆが設置されている。マグネットキャッチ１０９ａ〜１０９ｆは、遮光シート１１１の吸着板１１０ａ〜１１０ｆと磁気力で結合可能である。マグネットキャッチ１０９ａ〜１０９ｆは、吸着板１１０ａ〜１１０ｆと結合すると閉成するスイッチを有する、いわゆるスイッチ付マグネットキャッチである。検知部３０２（図２参照）は、マグネットキャッチ１０９ａ〜１０９ｆの出力に基づき、全てのマグネットキャッチ１０９ａ〜１０９ｆが対応する吸着板１１０ａ〜１１０ｆと結合したか否かを検知可能である。
【００３９】
測定を行う際には、まず被検者２０１がマット１０２の上で測定姿勢をとり、被検体１０６を被検体載置部１０４の支持面１０４ｂの上に載せる。次に、検査者（不図示）がソフトウォール１０１の挿入口４１を被検者２０１の腕の位置に合わせつつ、ソフトウォール１０１を開口部１０２ａに嵌め込む。なお、先にソフトウォール１０１を開口部１０２ａに嵌めこみ、被検者２０１が挿入口４１から手を差し入れてもよい。その後、検査者がソフトウォール１０１の上から遮光シート１１１を被せ、遮光シート１１１の吸着板１１０ａ〜１１０ｆを対応するマグネットキャッチ１０９ａ〜１０９ｆに固定する。全てのマグネットキャッチ１０９ａ〜１０９ｆが対応する吸着板１１０ａ〜１１０ｆと結合すると、検知部３０２がＯＮ信号を出力する。制御部３０３は、検知部３０２のＯＮ信号を受けて、遮光シート１１１の固定が適正であると判定・認識し、測定光の照射を許可する。例えば、検査中に被検者２０１が動いて吸着板１１０ａ〜１１０ｆのいずれか一つでもマグネットキャッチ１０９ａ〜１０９ｆから外れると、検知部３０２の出力信号がＯＦＦに切り替わる。制御部３０３は、検知部３０２の信号がＯＦＦの場合は、遮光シート１１１の固定が適正でないと判定・認識し、直ちに測定光の照射を停止するか、仮に漏れても危険が無い程度の強度に減光する。以上のような制御によって、装置の安全性をより高めることができる。
【００４０】
図３Ａおよび図３Ｂはソフトウォール１０１の上から遮光シート１１１が設置された状態を示している。遮光シート１１１はソフトウォール１０１（側壁部４０の上端）に支持されており、遮光シート１１１が弛んだりずれ落ちたりして被検体載置部１０４に接触する可能性が低減されている。またソフトウォール１０１は、側壁部４０が弾性変形した状態でマット１０２の開口部１０２ａに嵌っているため、略円筒形状に戻ろうとする応力が発生している。言い換えると、ソフトウォール１０１を開口部１０２ａに嵌め込んだ状態では、側壁部４０に曲げ変形が生じ、側壁部４０の外周側において引っ張り応力が生じるか、または、側壁部４０の内周側に圧縮応力が生じている。そのためソフトウォール１０１はマット１０２の開口部１０２ａの内側面に密着する。これにより、ソフトウォール１０１の固定が図られるとともに、遮光シート１１１が被検体載置部１０４の外縁から落ち込む隙間が出来づらくなっている。
【００４１】
以上述べたように本実施形態の被検体情報取得装置１は、被検体載置部１０４の周囲を囲むようにソフトウォール１０１を取り付け、その上から遮光シート１１１を被せるという遮光構造を採用する。かかる遮光構造により、遮光シート１１１が被検体載置部１０４へ接触することを防ぎつつ、被検体載置部１０４から装置外部への漏れ光を抑制することができる。また、被検体載置部１０４と遮光シート１１１の間にソフトウォール１０１を配置するだけの構成のため、取り扱いや設置が簡易である。さらに、弾性を有する可橈性材料でソフトウォール１０１を構成するとともに、挿入口４１の位置を任意に調整できるような構造としたことにより、一つのソフトウォール１０１で様々な測定姿勢や様々な体格の被験者に対応できる。この点は、遮光構造や装置の利便性および操作性を向上させるだけでなく、装置コストの低減にも貢献する。
【００４２】
（変形例）
上述した実施形態は本発明の好ましい構成を例示するものにすぎず、本発明は上述した実施形態の構成に限られない。
【００４３】
例えば、上記実施形態では、スポンジフォーム平板を管状に曲げて連結することによりソフトウォールを作成したが、ソフトウォールの製造方法はこれに限られない。型成形により略円筒形状のソフトウォールを製造してもよいし、複数の部材を組み合わせてもよい。また単一の材料ではなく、複数種類の材料を組み合わせてもよい。図６は、材料の異なる複数の部材を組み合わせた構造のソフトウォール５０１の例である。このソフトウォール５０１の側壁部５０は、剛性を有する複数の剛性部材５１を、剛性部材５１よりも弾性係数が低い連結部材５２で周方向に連結した構造を有する。剛性部材５１の一つに開口を形成することで、被検体を挿入するための挿入口が設けられている。なお剛性部材５１の材料としては、金属、樹脂、木材などを用いることができる。また連結部材５２の材料としては、エラストマやスポンジのような弾性材料、布や樹脂シートのような可撓性材料を用いることができる。図６のような構造のソフトウォール５０１においても側壁部５０の外形状が嵌め込み部に適合するように変形可能である。加えて、剛性部材５１を用いたことにより側壁部５０の強度が向上するため、ソフトウォール５０１が自立しやすくなる、遮光シートを被せたときに側壁部５０が座屈したり潰れたりすることを防止できる、などの利点がある。
【００４４】
上記実施形態では、ソフトウォールを円管状の側壁部のみで構成したが、側壁部以外の構造を設けてもよい。また、挿入口からの漏れ光を低減するための構造（例えば、挿入口と被検体の間の隙間を塞ぐ弾性部材や布など）を設けてもよい。側壁部に複数の挿入口を設けておき、使用しない挿入口（被検体が挿入される挿入口以外の挿入口）を塞ぐための閉塞構造を設けてもよい。
【００４５】
上記実施形態では、遮光シート側の固定部として吸着板を、装置側の被固定部としてマ
グネットキャッチを設けたが、固定方法はこれに限られず、遮光シートを装置に対して着脱可能に固定できればどのような固定方法を用いてもよい。例えば、磁気力ではなく、係合や嵌合のように固定部と被固定部が物理的に結合する構造でもよい。
【００４６】
上記実施形態では、マット１０２の開口部１０２ａがソフトウォールの嵌め込み部を兼ねているが、開口部１０２ａとは別の構造として嵌め込み部を設けてもよい。例えば、ベッド天板１０３またはマット１０２に嵌め込み部を設けてもよい。嵌め込み部としては、ソフトウォールの側壁部４０の外周面および／または内周面が弾性変形しながら当接する構造であればどのようなものでもよく、例えば、凹部、溝、段差、突起などを用いることができる。
【符号の説明】
【００４７】
１      ・・・  被検体情報取得装置
１０１，５０１  ・・・  ソフトウォール（部材）
１０２ａ・・・  マットの開口部（嵌め込み部）
１０４  ・・・  被検体載置部
１０６  ・・・  被検体
１０８  ・・・  光照射部
１１１  ・・・  遮光シート
４０，５０  ・・・ソフトウォールの側壁部
【図１】
2019025216.tif 000003
【図２】
2019025216.tif 000004
【図３】
2019025216.tif 000005
【図４】
2019025216.tif 000006
【図５】
2019025216.tif 000007
【図６】
2019025216.tif 000008